(57)【要約】【課題】グレアの発生を抑えつつ埃がたまってしまうのを抑制することのできる照明装置を得る。【解決手段】照明装置５０は、光源５００ａと光源５００ａからの光Ｌ１を外部に出射する出射面５００ｂとを有し、出射面５００ｂを被固定部の屋内空間１０に露出する露出面に沿わせた状態で被固定部に埋め込み固定される照明装置本体５００を備えている。また、被固定部が、屋内空間１０を画成する壁部２０のうちの側壁部２２または壁部２０に固定されて側面視で上下方向に延在する側壁部材４０である。また、露出面が、側壁部２２の側壁面２２ａまたは側壁部材４０の外表面４１ｂである。そして、照明装置本体５００は、出射面５００ｂから屋内空間１０に出射される出射光Ｌ２の主光軸方向Ｄ１が、出射面５００ｂの法線方向Ｄ２よりも上側または下側を向くように構成されている。【選択図】図７
2018129233.tif 000002
【特許請求の範囲】
【請求項１】
光源と前記光源からの光を外部に出射する出射面とを有し、被固定部に埋め込み固定されて屋内空間を照射する照明装置本体を備え、
前記照明装置本体は、前記出射面を前記被固定部の前記屋内空間に露出する露出面に沿わせた状態で前記被固定部に埋め込み固定されており、
前記被固定部が、前記屋内空間を画成する壁部のうちの側壁部、または、前記壁部に固定され、側面視で上下方向に延在する側壁部材であり、
前記露出面が、前記側壁部の側壁面または前記側壁部材の外表面であり、
前記照明装置本体は、前記出射面から前記屋内空間に出射される出射光の主光軸方向が、前記出射面の法線方向よりも上側または下側を向くように構成されていることを特徴とする照明装置。
【請求項２】
前記主光軸方向と前記出射面とのなす角が０度以上４５度以下であることを特徴とする請求項１に記載の照明装置。
【請求項３】
前記被固定部に埋め込み固定した状態で、前記主光軸方向が前記出射面の法線方向よりも上側を向く第１照明装置本体と、
前記被固定部に埋め込み固定した状態で、前記主光軸方向が前記出射面の法線方向よりも下側を向く第２照明装置本体と、
を備えていることを特徴とする請求項１または請求項２に記載の照明装置。
【請求項４】
前記第１照明装置本体よりも上側に前記第２照明装置本体が配置されていることを特徴とする請求項３に記載の照明装置。
【請求項５】
前記第１照明装置本体は、前記屋内空間を画成する床からの高さが１６００ｍｍ以上となる位置に配置されていることを特徴とする請求項３または請求項４に記載の照明装置。
【請求項６】
前記照明装置本体が前記側壁部材に埋め込み固定されており、
前記側壁部材がメディカルコンソールであることを特徴とする請求項１〜５のうちいずれか１項に記載の照明装置。
【請求項７】
前記メディカルコンソールが略板状をしていることを特徴とする請求項６に記載の照明装置。
【請求項８】
前記メディカルコンソールの上面が前記屋内空間を画成する天井まで延在していることを特徴とする請求項６または請求項７に記載の照明装置。
【請求項９】
前記照明装置本体を前記被固定部に埋め込み固定した状態で、当該照明装置本体の背面側に空間部が形成されていることを特徴とする請求項１〜８のうちいずれか１項に記載の照明装置。
【請求項１０】
前記空間部は、上端から下端にかけて、前記露出面側から奥側までの厚さが３５ｍｍ以上となっている部位を有していることを特徴とする請求項９に記載の照明装置。
【請求項１１】
前記照明装置本体は、略板状の導光部材を備えており、
前記導光部材における厚さ方向と交差する方向に延在する面のうち一方側の面が前記出射面となっていることを特徴とする請求項１〜１０のうちいずれか１項に記載の照明装置。
【請求項１２】
前記光源が、前記導光部材の厚さ方向に延在する端面と対向する位置に配置されていることを特徴とする請求項１１に記載の照明装置。
【発明の詳細な説明】
【技術分野】
【０００１】
本開示は、照明装置に関する。
【背景技術】
【０００２】
従来、照明装置として、光源と当該光源からの光を外部に出射する出射面とを有し、屋内空間に存在する被固定部に固定されて、屋内空間を照射するようにしたものが知られている（例えば、特許文献１参照）。
【０００３】
この特許文献１では、照明装置は、屋内空間を画成する側壁部（被固定部）に、側壁面から突出させた状態で固定されている。そして、照明装置の上面が光源からの光を外部に出射する出射面となっており、この上面から出射させた光を天井面に照射することで、間接的に屋内空間が明るくなるようにしている。
【０００４】
このように、上記特許文献１では、照明装置の上面から出射させた光を天井面に照射させるようにすることで、グレアの発生を抑えた間接照明が行われるようにしている。
【先行技術文献】
【特許文献】
【０００５】
【特許文献１】特開２０１４−２０７０９８号公報
【発明の概要】
【発明が解決しようとする課題】
【０００６】
しかしながら、上記従来の技術では、グレアの発生を抑えることは可能であるが、照明装置を側壁面から突出させているため、照明装置の上部に埃がたまってしまうおそれがある。
【０００７】
そこで、本開示は、グレアの発生を抑えつつ埃がたまってしまうのを抑制することのできる照明装置を得ることを目的とする。
【課題を解決するための手段】
【０００８】
本開示にかかる照明装置は、光源と前記光源からの光を外部に出射する出射面とを有し、被固定部に埋め込み固定されて屋内空間を照射する照明装置本体を備えている。
【０００９】
また、前記照明装置本体は、前記出射面を前記被固定部の前記屋内空間に露出する露出面に沿わせた状態で前記被固定部に埋め込み固定されている。
【００１０】
また、前記被固定部が、前記屋内空間を画成する壁部のうちの側壁部、または、前記壁部に固定され、側面視で上下方向に延在する側壁部材であり、前記露出面が、前記側壁部の側壁面または前記側壁部材の外表面である。
【００１１】
そして、前記照明装置本体は、前記出射面から前記屋内空間に出射される出射光の主光軸方向が、前記出射面の法線方向よりも上側または下側を向くように構成されている。
【発明の効果】
【００１２】
本開示によれば、グレアの発生を抑えつつ埃がたまってしまうのを抑制することのできる照明装置を得ることができる。
【図面の簡単な説明】
【００１３】
【図１】一実施形態にかかる照明装置の設置状態の一例を模式的に示す斜視図である。
【図２】一実施形態にかかる照明装置が設置されたメディカルコンソールを示す正面図である。
【図３】一実施形態にかかる照明装置が設置されたメディカルコンソールを示す側面図である。
【図４】一実施形態にかかる照明装置のメディカルコンソールへの設置方法の一例を模式的に示す一部分解斜視図である。
【図５】一実施形態にかかる照明装置本体を示す図であって、（ａ）は背面図、（ｂ）は平面図、（ｃ）は正面図、（ｄ）は側面図である。
【図６】一実施形態にかかる照明装置本体を示す断面図である。
【図７】一実施形態にかかる照明装置本体を簡略化して示す断面図である。
【図８】一実施形態にかかる照明装置の第１照明装置本体を点灯させた状態を模式的に示す図であって、（ａ）は斜視図、（ｂ）は側面図である。
【図９】一実施形態にかかる照明装置の第１照明装置本体および第２照明装置本体を点灯させた状態を模式的に示す図であって、（ａ）は斜視図、（ｂ）は側面図である。
【図１０】一実施形態にかかる照明装置の第２照明装置本体を点灯させた状態を模式的に示す図であって、（ａ）は斜視図、（ｂ）は側面図である。
【図１１】一実施形態にかかる照明装置の設置状態の他の例を模式的に示す斜視図である。
【発明を実施するための形態】
【００１４】
以下、本開示の実施形態にかかる照明装置について、図面を参照しながら詳細に説明する。なお、以下では、照明装置本体の厚さ方向を前後方向Ｘとして説明する。そして、照明装置本体の出射面側を前後方向Ｘの前方と規定する。また、被固定部に固定した照明装置を正面から視た状態における左右方向を幅方向Ｙとし、被固定部に固定した照明装置を正面から視た状態における上下方向を上下方向Ｚとして説明する。
【００１５】
本実施形態にかかる照明装置５０は、建物等の内部空間（屋内空間）に設置して、建物等の内部空間を照射する屋内用照明装置である。この照明装置５０は、例えば、病院（建物）内の病室（屋内空間）１０や建物（病院やホテル、オフィスビル等）内の廊下（屋内空間）１０Ａに設置することができる（図１，図１１参照）。
【００１６】
まず、病院（建物）内の病室（屋内空間）１０に本実施形態にかかる照明装置５０を設置した態様について、図１から図１０に基づき説明する。
【００１７】
病室１０は、壁部２０としての天井２１によって病室１０の上部が画成され、壁部２０としての側壁部２２によって病室１０の側部が画成され、壁部２０としての床２３によって病室１０の下部が画成された空間である。すなわち、病室１０は、壁部２０によって画成された屋内空間である。なお、天井２１の病室１０に臨む面（屋内空間に露出する露出面）が天井面２１ａとなっており、側壁部２２の病室１０に臨む面（屋内空間に露出する露出面）が側壁面２２ａとなっている。また、床２３の病室１０に臨む面（屋内空間に露出する露出面）が床面２３ａとなっている。
【００１８】
この病室１０には、患者Ｈ１が横になるためのベッド３０や患者Ｈ１の私物などを収容するキャビネット３１等が配置されている（図１，図８から図１０参照）。ベッド３０は、一般的に、頭部側（患者Ｈ１が横になった状態で患者Ｈ１の頭部が位置する側）を側壁面２２ａに対向させた状態で病室１０に配置されるものである。また、キャビネット３１は、一般的に、ベッド３０の頭部側の側方に配置されるものである。この、キャビネット３１は、自由に移動させることができる状態でベッド３０の頭部側の側方に配置されるようにしてもよいし、側壁部２２等に固定した状態でベッド３０の頭部側の側方に配置されるようにしてもよい。
【００１９】
また、天井２１には、病室１０に配置されたベッド３０に略沿うようにカーテンレール２４ａが架設されている。具体的には、カーテンレール２４ａは、ベッド３０の周囲のうち側壁部２２に沿う部分を除く周囲（図１では、ベッド３０の側部の一方および足元側）に沿うように架設されている。
【００２０】
そして、このカーテンレール２４ａにはカーテン２４が開閉可能に吊り下げられており、このカーテン２４を閉めることで側壁部２２を除くベッド３０の周囲が目隠しされるようになっている。このように、図１では、複数のベッド３０が配置され、互いに隣り合うベッド３０の間がカーテン２４によって仕切られる病室１０の一部を開示している。しかしながら、本実施形態にかかる照明装置５０が設置される病室１０は、いわゆる大部屋（図１に示す病室１０）に限られるものではなく、１つのベッド３０のみが配置された個室であってもよい。
【００２１】
さらに、病室１０を画成する壁部２０には、メディカルコンソール４０が設置（固定）されている。具体的には、全体の外形が略矩形板状となるように形成されたメディカルコンソール４０を、壁部２０としての側壁部２２に固定している。このように、図１から図１０に示す態様では、全体の外形が略板状のメディカルコンソール４０を側壁部２２に固定させるようにしている。こうすれば、メディカルコンソール４０の側壁面２２ａからの突出量を極力小さくすることができる。なお、図１から図１０に示す態様では、メディカルコンソール４０の厚さ（前後方向Ｘの長さ）を約７７．５ｍｍ（８０ｍｍ以下）としている。
【００２２】
このメディカルコンソール４０は、全体の外形が略矩形板状をした筐体４１を備えており、この筐体４１にはユニット部４２が設けられている。なお、筐体４１は、例えば、木材等を用いて形成することができる。そして、ユニット部４２には、医療用機器を含む様々なユニットの中から必要に応じて選択した複数のユニットが一体に設けられている。
【００２３】
このようなユニットとしては、例えば、補助灯４２１ａ、電源コンセント４２１ｂ、ナースコールスイッチの取付口（図示せず）などが形成された電気設備用ユニット４２１がある（図２参照）。また、情報端末プラグ（図示せず）などが形成された情報設備用ユニット４２２や医療用ガス供給管（例えば、酸素用のガス管など）４２３ａの接続口４２３ｂなどが形成された医療用ガス設備用ユニット４２３等がある（図２等参照）。なお、図２等には、筐体４１の下端部（筐体４１の下部の幅方向Ｙに細長い領域）に形成されたユニット部４２に、複数のユニットを横一列に並設したものを開示しているが、ユニット部４２の形成部位やユニットの設置箇所はこれに限られるものではない。
【００２４】
また、筐体４１の内部には空間４１０が形成されており、この空間４１０内には、電源線（図示せず）、信号線（図示せず）、医療用ガス供給管４２３ａ等が収容されている。なお、電源線（図示せず）、信号線（図示せず）および医療用ガス供給管４２３ａは、対応するユニットにそれぞれ接続された状態で空間４１０内に収容されるものである。
【００２５】
このような筐体４１は、例えば、図４に示すように、略矩形板状のベース４１１と、背面側が開口し、ベース４１１に固定される略箱状のカバー４１２と、で構成することができる。なお、ベース４１１は、図４に示すように、後壁部４１１ａと、後壁部４１１ａを補強する枠部４１１ｂと、で構成することができる。また、カバー４１２は、図４に示すように、略矩形板状の前壁部４１２ａと、当該前壁部４１２ａの周縁から後方に延在するように連設された周壁部４１２ｂと、で構成することができる。
【００２６】
そして、このような構成をしたメディカルコンソール４０の側壁部２２（壁部２０）への固定は、例えば、ベース４１１をねじ等により側壁部２２に固定し、側壁部２２に固定したベース４１１にカバー４１２をねじ等により固定することで行うことができる。こうすれば、内部に空間４１０が形成されたメディカルコンソール４０が壁部２０としての側壁部２２に固定されることとなる。
【００２７】
このとき、メディカルコンソール４０は、上面（上部）４１ａを天井面２１ａ（屋内空間を画成する天井２１）まで延在させた状態で壁部２０に固定されるようにするのが好ましい。すなわち、メディカルコンソール４０は、上面４３ａを天井面２１ａに接触させた状態で壁部２０に固定されるようにするのが好ましい。
【００２８】
こうすれば、メディカルコンソール４０の上面４１ａに埃がたまってしまうのを抑制することができる。また、電源線や信号線、医療用ガス供給管４２３ａを、天井裏の空間Ｓ１から病室（屋内空間）１０に引き出して配線作業や配管作業を行うことができるようになる。すなわち、電源線や信号線の配線作業や医療用ガス供給管４２３ａの配管作業を側壁部２２の裏側の空間で行う必要がなくなる。そのため、電源線や信号線の配線作業や医療用ガス供給管４２３ａの配管作業をより容易に行うことができるようになる。
【００２９】
そして、上面４１ａを天井面２１ａに接触させた状態でメディカルコンソール４０を側壁部２２に固定すると、筐体４１の上面４１ａを除く外表面（前面４１ｂ、両側面４１ｃ，４１ｃおよび下面４１ｄ）が病室（屋内空間）１０に露出することとなる。
【００３０】
また、図１から図１０に示す態様では、メディカルコンソール４０に、病室（屋内空間）１０を照射する照明装置５０が一体に設けられている。そして、この照明装置５０は、光源５００ａと、光源５００ａから照射される光Ｌ１を外部に出射する出射面５００ｂと、を有する照明装置本体５００を備えている。
【００３１】
この照明装置本体５００は、図３に示すように、出射面５００ｂを筐体４１の前面４１ｂに沿わせた状態でメディカルコンソール４０に埋め込み固定されている。すなわち、照明装置本体５００は、出射面５００ｂが筐体４１の前面４１ｂと略面一となるようにした状態でメディカルコンソール４０に埋め込み固定されている。なお、図６には、出射面５００ｂを筐体４１の前面４１ｂよりも奥側（後側）に引っ込ませた図が開示されているが、この出射面５００ｂの筐体４１の前面４１ｂからの引っ込み量は数ｍｍ程度である。すなわち、出射面５００ｂは、実質的には、筐体４１の前面４１ｂと略面一となっている。
【００３２】
このように、図１から図１０に示す態様では、メディカルコンソール４０が、側壁部２２（壁部２０）に固定され、側面視で上下方向Ｚに延在する側壁部材に相当しており、この側壁部材としてのメディカルコンソール４０が被固定部となっている。また、筐体４１の前面４１ｂが側壁部材の外表面に相当しており、この外表面としての前面４１ｂが被固定部の屋内空間に露出する露出面となっている。
【００３３】
次に、図４から図７に基づき、照明装置本体５００の具体的な構成の一例について説明する。
【００３４】
照明装置本体５００は、幅方向Ｙに細長い略直方体状をしており、この略直方体状をした照明装置本体５００が、筐体４１の前壁部４１２ａに形成された取付穴４３に挿入された状態で埋め込み固定されている（図４から図６参照）。
【００３５】
この照明装置本体５００は、筐体４１に固定されるベース部５３０と、光源５００ａおよび出射面５００ｂを有し、ベース部５３０に固定される本体部５４０と、本体部５４０のベース部５３０への固定部位を覆うカバー部５５０と、を備えている（図４参照）。
【００３６】
さらに、照明装置本体５００は、光源５００ａに電気的に接続され、商用電力を変換して光源５００ａに電力を供給する電源装置５６０を備えており、この電源装置５６０が本体部５４０の奥側（背面の中央部）に固定されている。
【００３７】
この電源装置５６０は、幅方向Ｙに細長い略直方体状の筐体５６１を備えている。そして、筐体５６１は、例えば、絶縁性を有する樹脂を用いて形成することができ、筐体５６１の内部には、光源５００ａに給電するための電子部品（図示せず）が収納されている。この電子部品は、例えば、ケーブル等を介して光源５００ａに電気的に接続させることができる。
【００３８】
そして、筐体５６１の幅方向Ｙの一端側には、図５（ａ）および図６に示すように、電源用端子台５６２および制御用端子台５６３が形成されており、この電源用端子台５６２および制御用端子台５６３には、図示せぬケーブルが接続されている。このケーブルは、一端が電源用端子台５６２に形成された端子部５６２ａおよび制御用端子台５６３に形成された端子部５６３ａに電気的に接続されている。そして、他端が図示せぬ商用電源に電気的に接続されており、このケーブルを介して筐体５６１の内部の電子部品に、商用電源から電力が供給されるようになっている。
【００３９】
ベース部５３０は、前方に開口する略箱状に形成されたベース本体５３１を備えており、このベース本体５３１は、幅方向Ｙに細長い略矩形板状の奥壁５３２と、奥壁５３２の周縁に前後方向Ｘの前方に延在するように連設された周壁５３３と、を備えている。このベース本体５３１は、例えば、鋼板を用いて形成することができる。また、ベース部５３０は、奥壁５３２の中央部に形成された挿通孔５３２ａに挿通された状態で、奥壁５３２に固定される電源カバー５３４を備えている。この電源カバー５３４は、本体部５４０をベース部５３０に固定した際に、本体部５４０の奥側に固定された電源装置５６０を背面側から覆う部材である（図４および図６参照）。
【００４０】
具体的には、電源カバー５３４は、幅方向Ｙに細長い略矩形板状の奥壁５３５と、奥壁５３５の周縁に前後方向Ｘの前方に延在するように連設された周壁５３６と、周壁５３６の前端縁からＹＺ平面の外方に延在するように連設されたフランジ５３７とを備えている。そして、電源カバー５３４は、奥壁５３５および周壁５３６を前方から挿通孔５３２ａに挿通し、フランジ５３７を奥壁５３２における挿通孔５３２ａの周縁部にねじ止めや溶接等により固定することで、ベース本体５３１に固定されている。このように、ベース本体５３１は、上下方向Ｚから視た状態で、幅方向Ｙの中央部が後方に突出した段差状をしており、後方に突出した部位（電源カバー５３４が形成されている部位）の厚さ（前後方向Ｘの長さ）が他の部位よりも厚くなっている。
【００４１】
なお、電源カバー５３４の奥壁５３５には、天井裏の空間Ｓ１から引き出され、端子部５６２ａや端子部５６３ａに電気的に接続されるケーブルを挿通させる挿通穴５３５ａが形成されている。また、電源カバー５３４も、例えば、鋼板を用いて形成することができる。
【００４２】
また、ベース本体５３１の周壁部５３１ｂのうち上下方向Ｚの一端側の壁部には、幅方向Ｙから視た状態で略Ｌ字状をした取付片５３８が固定されている。この取付片５３８も、例えば、鋼板を用いて形成することができる。そして、取付片５３８には、ねじ５７１が挿通される挿通孔５３８ａが幅方向Ｙに沿って複数形成されている（図５（ａ）および図５（ｃ）参照）。さらに、ベース本体５３１の奥壁５３２の前面における幅方向Ｙの両端には、幅方向Ｙから視た状態で略Ｃ字状をしたブラケット５３９が固定されている。そして、このブラケット５３９に本体部５４０をねじ５７２により固定することで、本体部５４０がベース部５３０に固定されるようにしている。このブラケット５３９は、例えば、亜鉛鋼板を用いて形成することができる。
【００４３】
本体部５４０は、ベース本体５３１に固定される固定部５４１を備えており、この固定部５４１には、導光パネル（導光部材）５４２およびＬＥＤ（半導体発光素子）５４３が固定されている。この固定部５４１は、例えば、亜鉛鋼板を用いて形成することができる。
【００４４】
導光パネル５４２は略矩形板状をしており、例えば、透光性を有するアクリル樹脂を用いて形成することができる。そして、この導光パネル５４２は、厚さ方向を前後方向Ｘに略一致させるとともに長手方向を幅方向Ｙに略一致させた状態で、固定部５４１に固定されている。このとき、導光パネル５４２の下端部が固定部５４１に挟持されるようにしている（図６参照）。そして、導光パネル５４２の下端面５４２ｃの下方には、複数のＬＥＤ５４３が、主光軸方向が上下方向Ｚの上方を向くようにした状態で、幅方向Ｙに所定のピッチで並ぶように配置されている。
【００４５】
そして、ＬＥＤ５４３から照射された光Ｌ１が導光パネル５４２に導入され、導光パネル５４２内を通った光が導光パネル５４２の前面（一面）５４２ａから出射光Ｌ２として外部（屋内空間）に出射されるようにしている（図７参照）。このように、図４から図７に示す照明装置本体５００では、導光部材５４２における厚さ方向と交差する方向に延在する面のうち一方側の面である前面５４２ａが出射面５００ｂとなっている。また、導光パネル５４２の下端面（導光部材５４２の厚さ方向に延在する端面）５４２ｃの下方に、下端面５４２ｃと対向するように配置される複数のＬＥＤ５４３が、照明装置本体５００の光源５００ａとなっている。なお、光源５００ａとして有機ＥＬ等の半導体発光素子を用いることも可能である。
【００４６】
また、図４から図７に示す照明装置本体５００では、導光パネル５４２の後面（他面）５４２ｂに反射シール５４４が貼り付けられて（反射部材が配置されて）いる。こうすることで、導光パネル５４２の後面５４２ｂから光が出射されてしまうのを抑制し、より多くの光が前面５４２ａから出射されるようにしている。なお、反射シール（反射部材）５４４の反射率を適宜設定するようにすれば、前面５４２ａから出射される出射光Ｌ２の光量（導光パネル５４２の輝度）を所望の量（所望の輝度）とすることができる。
【００４７】
また、固定部５４１の幅方向Ｙの両端における上下方向Ｚの上下には、ねじ５７２が挿入される挿通孔５４１ａが形成されている。そして、固定部５４１の幅方向Ｙの両端を、ねじ５７２によりブラケット５３９に固定することで、本体部５４０がベース部５３０に固定されるようにしている。
【００４８】
また、本体部５４０のベース部５３０への固定部位が外部に露出しないように、カバー部５５０がねじ５７２を前方から覆った状態で本体部５４０に取り付けられている。このカバー部５５０は、例えば、鋼板を用いて形成することができ、本体部５４０に着脱可能に取り付けられている。
【００４９】
このような構成をした照明装置本体５００は、例えば、図４に示すような方法で、メディカルコンソール４０に埋め込み固定させることができる。
【００５０】
まず、ベース本体５３１の周壁５３３の前端部を前壁部４１２ａに形成された取付穴４３に背面側から挿入した状態で、取付片５３８を前壁部４１２ａの背面側における取付穴４３の周縁部にねじ５７１により固定する。また、周壁５３３の前端部をねじ５７３により前壁部４１２ａに固定する。こうして、ベース部５３０を前壁部４１２ａに固定する。
【００５１】
次に、前壁部４１２ａに固定されたベース部５３０のブラケット５３９に、本体部５４０をねじ５７２により固定することで、本体部５４０をベース部５３０に固定する。
【００５２】
次に、カバー部５５０を、本体部５４０のベース部５３０への固定部位（ねじ５７２）を前方から覆った状態で本体部５４０に取り付ける。
【００５３】
こうして、照明装置本体５００がメディカルコンソール４０に埋め込み固定される。なお、図４に示す方法は一例に過ぎず、他の方法により照明装置本体５００をメディカルコンソール４０に埋め込み固定させることも可能である。
【００５４】
また、メディカルコンソール４０の内部には、上述したように、電源線（図示せず）、信号線（図示せず）、医療用ガス供給管４２３ａ等が収容される空間４１０が形成されている。
【００５５】
そして、照明装置本体５００は、背面側（前後方向Ｘの後側）を空間４１０に突出させた状態でメディカルコンソール４０に埋め込み固定される。したがって、メディカルコンソール４０に照明装置本体５００を埋め込み固定した状態では、照明装置本体５００の背面側に、前後方向Ｘの厚みが薄くなる空間部４１０ａが形成されることとなる。
【００５６】
ここで、メディカルコンソール４０の厚さ（前後方向Ｘの長さ）は約７７．５ｍｍとなっており、ベース４１１の厚さ（前後方向Ｘの長さ）が約９ｍｍとなっている。
【００５７】
一方、照明装置本体５００は、電源カバー５３４が存在する部位における厚さ（前後方向Ｘの長さ）が約４５ｍｍとなっており、その他の部位（電源カバー５３４が存在しない幅方向Ｙの両端部）における厚さ（前後方向Ｘの長さ）が約３１ｍｍとなっている。
【００５８】
したがって、照明装置本体５００における電源カバー５３４が存在しない部位の背面側には、上端から下端にかけて、奥壁５３２の後面（露出面側）からベース４１１の前面（奥側）までの厚さが３５ｍｍ以上となっている空間部４１０ａが形成されることとなる。こうすることで、比較的径が太い医療用ガス供給管４２３ａを空間部４１０ａに収容させることができるようにしている。
【００５９】
さらに、図１から図１０に示す態様では、取付穴４３は、筐体４１の前壁部４１２ａの２箇所に形成されており、それぞれの取付穴４３に照明装置本体５００が挿入されるようにしている。すなわち、照明装置５０は、第１照明装置本体５１０と第２照明装置本体５２０とを備えている。そして、第１照明装置本体５１０が、前壁部４１２ａの下部におけるユニット部４２の上方に形成された取付穴４３に挿入され、第２照明装置本体５２０が、前壁部４１２ａの上部に形成された取付穴４３に挿入されている。なお、図４から図７には、第１照明装置本体５１０の形状と第２照明装置本体５２０の形状が同一のものを例示している。しかしながら、第１照明装置本体５１０の形状と第２照明装置本体５２０の形状を同一の形状とする必要はなく、第１照明装置本体５１０の形状とは異なった形状の第２照明装置本体５２０をメディカルコンソール４０に埋め込み固定することも可能である。
【００６０】
ところで、メディカルコンソール４０に埋め込み固定された照明装置本体５００における出射面５００ｂから出射される出射光Ｌ２の主光軸方向Ｄ１が、出射面５００ｂの法線方向Ｄ２と略平行になっていると、グレアが発生してしまうおそれがある。すなわち、通常の照明装置本体を単にメディカルコンソール４０に埋め込み固定しただけでは、病室１０内にいる人の目に、照明装置本体５００からの光（出射光Ｌ２）が直接照射されてグレアが発生してしまうおそれがある。なお、病室１０内にいる人としては、例えば、患者Ｈ１や医療スタッフＨ２、見舞客等が考えられる。
【００６１】
そこで、図４から図７に示す照明装置本体５００では、病室１０内にいる人の目に、照明装置本体５００からの光（出射光Ｌ２）が直接照射されてしまうのを抑制できるようにしている。
【００６２】
具体的には、メディカルコンソール４０に埋め込み固定した状態で、出射面５００ｂから病室１０に出射される出射光Ｌ２の主光軸方向Ｄ１が、出射面５００ｂの法線方向Ｄ２よりも上側または下側を向くように、照明装置本体５００を構成している。
【００６３】
例えば、導光パネル５４２の前面５４２ａに微細な凹凸を形成する等の処理を施すことで、図７に示す状態で、下端面５４２ｃから導入されて前面５４２ａから出射される光（出射光Ｌ２）の主光軸方向Ｄ１が上方かつ前方を向くようにすることができる。このとき、前面５４２ａのうち出射面５００ｂとなる部位の全面に亘って、出射される光（出射光Ｌ２）の主光軸方向Ｄ１がほぼ同一の方向となるようにするのが好ましい。こうすれば、出射面５００ｂ全体で所定方向（上方かつ前方）を照らすことができる（面発光させることができる）ようになるため、均斉度をより向上させることができるようになる。
【００６４】
また、出射光Ｌ２の主光軸方向Ｄ１と出射面５００ｂとのなす角θを、０度以上４５度以下となるようにするのが好ましい。こうすれば、出射面５００ｂの法線方向Ｄ２に照射される光の量を低減させることができる。図７には、出射光Ｌ２の主光軸方向Ｄ１と出射面５００ｂとのなす角θが約２０度となるようにしたものを例示している。
【００６５】
また、上述したように、図１から図１０に示す態様では、照明装置５０は、第１照明装置本体５１０と、第１照明装置本体５１０よりも上側に配置される第２照明装置本体５２０と、を備えている。
【００６６】
そして、第１照明装置本体５１０は、主光軸方向Ｄ１が出射面５００ｂの法線方向Ｄ２よりも上側を向くようにした状態で、メディカルコンソール４０に埋め込み固定されるようにしている。
【００６７】
一方、第２照明装置本体５２０は、主光軸方向Ｄ１が出射面５００ｂの法線方向Ｄ２よりも下側を向くようにした状態で、メディカルコンソール４０に埋め込み固定されるようにしている。なお、第２照明装置本体５２０の形状は、第１照明装置本体５１０の形状と同一の形状をしており、第１照明装置本体５１０を１８０度回転させた状態でメディカルコンソール４０に埋め込み固定したものが第２照明装置本体５２０となる。
【００６８】
こうすることで、病室１０の天井面２１ａ側を第１照明装置本体５１０によって照射させるようにすることができ、病室１０の床面２３ａ側を第２照明装置本体５２０によって照射させることができるようになる。
【００６９】
さらに、図１から図１０に示す態様では、病室１０を画成する床２３（床面２３ａ）からの高さが１６００ｍｍ以上となる位置に第１照明装置本体５１０を配置している。こうすることで、第１照明装置本体５１０の位置が成人男性の平均的な目線の高さ以上となるようにしている。
【００７０】
次に、メディカルコンソール４０に埋め込み固定された第１照明装置本体５１０および第２照明装置本体５２０の使用方法の一例を、図８から図１０に基づき説明する。
【００７１】
まず、第１照明装置本体５１０の電源をオンにすると、第１照明装置本体５１０の出射面５００ｂから出射された出射光Ｌ２により、病室１０の天井（天井面２１ａ）が照射される。そして、第１照明装置本体５１０の出射面５００ｂから出射された出射光Ｌ２を病室１０の天井（天井面２１ａ）に照射させることで、グレアの発生を抑えた間接照明が行われる。このように、第１照明装置本体５１０は、病室１０の天井（天井面２１ａ）を間接的に照明する用途に用いられるものである。
【００７２】
一方、第２照明装置本体５２０の電源をオンにすると、第２照明装置本体５２０の出射面５００ｂから出射された出射光Ｌ２により、病室１０の床側が照射される。このとき、メディカルコンソール４０の下方には、ベッド３０が、頭部側を側壁面２２ａに対向させた状態で配置されているため、第２照明装置本体５２０の出射面５００ｂから出射された出射光Ｌ２は、ベッド３０のベッド面（特に頭部側）を照射することになる。このように、第２照明装置本体５２０は、病室１０内に配置されたベッド３０のベッド面を照明する用途に用いられるものである。
【００７３】
したがって、第１照明装置本体５１０および第２照明装置本体５２０の電源のオン・オフを適宜切り替えることで、病室１０内において、様々な状況に適した照明を行うことができるようになる。
【００７４】
例えば、昼間等の就寝していない状況等では、第１照明装置本体５１０の電源のみをオンにし、この第１照明装置本体５１０によって病室１０を照明するようにすることができる（図８参照）。
【００７５】
また、医療スタッフＨ２によって患者Ｈ１の診察や看護を行う場合等には、第１照明装置本体５１０および第２照明装置本体５２０の電源をオンにし、ベッド面をより明るく照射させることで、診察や看護等をより行いやすくすることができる（図９参照）。
【００７６】
また、夜間等に読書をする場合等には、第２照明装置本体５２０の電源のみをオンにし、この第２照明装置本体５２０によって、隣のベッド３０に明かりが漏れてしまうのを抑制しつつ、患者Ｈ１の手元を照明するようにすることができる（図１０参照）。
【００７７】
さらに、図１等に例示したメディカルコンソール４０のユニット部４２には、補助灯４２１ａが設けられているため、この補助灯４２１ａの電源のオン・オフを利用することで、より様々な状況に適した照明を行うことができるようになっている。なお、メディカルコンソール４０のユニット部４２に補助灯４２１ａを設けないようにすることも可能である。
【００７８】
なお、照明装置５０は、上側を照射する第１照明装置本体５１０と下側を照射する第２照明装置本体５２０とを備えている必要はなく、照明装置５０が上側または下側を照射する照明装置本体５００のみを備えるようにしてもよい。例えば、図１１に示すように、建物（病院やホテル、オフィスビル等）の廊下（屋内空間）１０Ａに、上述した照明装置本体５００を設置することも可能である。
【００７９】
廊下１０Ａは、壁部２０としての天井２１によって廊下１０Ａの上部が画成され、壁部２０としての側壁部２２によって廊下１０Ａの側部が画成され、壁部２０としての床２３によって廊下１０Ａの下部が画成された空間である。すなわち、廊下１０Ａは、壁部２０によって画成された屋内空間である。なお、天井２１の廊下１０Ａに臨む面（屋内空間に露出する露出面）が天井面２１ａとなっており、側壁部２２の廊下１０Ａに臨む面（屋内空間に露出する露出面）が側壁面２２ａとなっている。また、床２３の廊下１０Ａに臨む面（屋内空間に露出する露出面）が床面２３ａとなっている。
【００８０】
そして、廊下１０Ａを画成する側壁部２２（壁部２０）には、指向性を有する照明装置本体５００が複数個埋め込み固定されている。このとき、複数個の照明装置本体５００は、出射面５００ｂから出射された出射光Ｌ２が上側を照射するようにした状態で側壁部２２に埋め込み固定されている。
【００８１】
このように、図１１に示す態様では、廊下１０Ａを画成する側壁部２２が被固定部となっており、側壁部２２の側壁面２２ａが被固定部の屋内空間に露出する露出面となっている。
【００８２】
こうすることで、各照明装置本体５００の出射面５００ｂから出射された出射光Ｌ２を廊下１０Ａの天井（天井面２１ａ）に照射させ、グレアの発生を抑えた間接照明が行われるようにしている。
【００８３】
なお、図１１には、複数の照明装置本体５００を幅方向Ｙに連続して配置したものを例示したが、複数の照明装置本体５００を幅方向Ｙに離間して配置させることも可能である。
【００８４】
以上説明したように、本実施形態の照明装置５０は、被固定部に埋め込み固定されて屋内空間を照射する照明装置本体５００を備えている。この照明装置本体５００は、光源５００ａと、光源５００ａからの光（出射光Ｌ２）を外部に出射する出射面５００ｂと、を有している。
【００８５】
また、照明装置本体５００は、出射面５００ｂを被固定部の屋内空間に露出する露出面に沿わせた状態で被固定部に埋め込み固定されている。
【００８６】
また、被固定部が、屋内空間を画成する壁部２０のうちの側壁部２２、または、壁部２０に固定され、側面視で上下方向に延在する側壁部材（メディカルコンソール４０）である。また、露出面が、側壁部２２の側壁面２２ａまたは側壁部材の外表面（メディカルコンソール４０の前面４１ａ）である。
【００８７】
そして、照明装置本体５００は、出射面５００ｂから屋内空間に出射される出射光Ｌ２の主光軸方向Ｄ１が、出射面５００ｂの法線方向Ｄ２よりも上側または下側を向くように構成されている。
【００８８】
このように、出射面５００ｂを被固定部の屋内空間に露出する露出面に沿わせた状態で被固定部に照明装置本体５００を埋め込み固定させるようにすれば、上部に埃がたまってしまうのを抑制することができるようになる。
【００８９】
また、出射光Ｌ２の主光軸方向Ｄ１が出射面５００ｂの法線方向Ｄ２よりも上側または下側を向くように、照明装置本体５００を構成すれば、グレアの発生を抑えることができるようになる。
【００９０】
したがって、本実施形態によれば、グレアの発生を抑えつつ、上部に埃がたまってしまうのを抑制することのできる照明装置５０を得ることができる。
【００９１】
また、主光軸方向Ｄ１と出射面５００ｂとのなす角θが０度以上４５度以下となるようにしてもよい。
【００９２】
こうすれば、出射面５００ｂから法線方向Ｄ２に照射される光の量をより少なくできるため、より確実にグレアの発生を抑えることができる。
【００９３】
また、照明装置本体５００が、被固定部に埋め込み固定した状態で、主光軸方向Ｄ１が出射面５００ｂの法線方向よりも上側を向く第１照明装置本体５１０を備えるようにしてもよい。さらに、照明装置本体５００が、被固定部に埋め込み固定した状態で、主光軸方向Ｄ１が出射面５００ｂの法線方向Ｄ２よりも下側を向く第２照明装置本体５２０を備えるようにしてもよい。
【００９４】
こうすれば、上部に埃がたまってしまうのを抑制しつつ、天井面２１ａ側および床面２３ａ側を照射することのできる照明装置５０を得ることができる。
【００９５】
また、第１照明装置本体５１０よりも上側に第２照明装置本体５２０が配置されるようにしてもよい。
【００９６】
こうすれば、天井面２１ａ側の照射範囲および床面２３ａ側の照射範囲を拡大させることができる。
【００９７】
また、第１照明装置本体５１０を、屋内空間を画成する床２３からの高さが１６００ｍｍ以上となる位置に配置するようにしてもよい。
【００９８】
こうすれば、第１照明装置本体５１０の位置が成人男性の平均的な目線の高さ以上となるため、出射面５００ｂから出射される光（出射光Ｌ２）が屋内空間にいる人の目に直接入射してしまうことを抑制することができる。そのため、より確実にグレアの発生を抑えることができる。
【００９９】
また、照明装置本体５００を、メディカルコンソール（側壁部材）４０に埋め込み固定させてもよい。
【０１００】
こうすれば、病室（屋内空間）１０に、メディカルコンソール４０とは別に照明装置本体５００を埋め込み固定する箇所を確保する必要がなくなるため、病室（屋内空間）１０のスペースをより有効に活用することができる。また、メディカルコンソール４０と照明装置本体とを一体化させることで、メディカルコンソール４０および照明装置本体の病室（屋内空間）１０への設置がより容易になる。
【０１０１】
また、メディカルコンソール４０が略板状をしていてもよい。
【０１０２】
こうすれば、病室（屋内空間）１０に設置したメディカルコンソール４０の側壁面２２ａからの突出量を極力小さくすることができるため、病室（屋内空間）１０のスペースをより確実に確保することができる。また、側壁面２２ａからの突出量を極力小さくすることで、病室（屋内空間）１０内の人（患者Ｈ１や医療スタッフＨ２、見舞客等）がメディカルコンソール４０にぶつかってしまうのを抑制することができる。
【０１０３】
また、メディカルコンソール４０の上部（上面４１ａ）を、屋内空間を画成する天井面２１ａまで延在させてもよい。
【０１０４】
こうすれば、メディカルコンソール４０の上部に埃がたまってしまうのを抑制することができる。また、電源線や信号線、医療用ガス供給管４２３ａを、天井裏の空間Ｓ１から病室（屋内空間）１０に引き出して配線作業や配管作業を行うことができるようになるため、配線作業や配管作業をより容易に行うことができる。
【０１０５】
さらに、側壁面２２ａからの突出量を極力小さくしたり、上部（上面４１ａ）を、屋内空間を画成する天井面２１ａまで延在させたりすることで、メディカルコンソール４０の上部に物を置かれてしまうことを抑制することができる。その結果、落下物が病室（屋内空間）１０内の人や医療器具等にぶつかってしまうのを防止することができるようになる。また、側壁面２２ａからの突出量を極力小さくしたり、上部（上面４１ａ）を、屋内空間を画成する天井面２１ａまで延在させたりすれば、意匠性の向上を図ることもできるようになる。
【０１０６】
また、照明装置本体を被固定部に埋め込み固定した状態で、当該照明装置本体の背面側に空間部４１０ａが形成されるようにしてもよい。
【０１０７】
こうすれば、照明装置本体の背面側に形成された空間部４１０ａに電源線や信号線、医療用ガス供給管４２３ａ等を収容させることができ、見栄えの向上を図ることができる。
【０１０８】
また、空間部４１０ａが、上端から下端にかけて、露出面側から奥側までの厚さが３５ｍｍ以上となっている部位を有するようにしてもよい。
【０１０９】
こうすれば、比較的径の太い医療用ガス供給管４２３ａも空間部４１０ａに収容させることができる。
【０１１０】
また、照明装置本体が、略板状の導光パネル（導光部材）５４２を備えており、導光パネル５４２における厚さ方向と交差する方向に延在する面のうち一方側の面（前面５４２ａ）が出射面５００ｂとなるようにしてもよい。
【０１１１】
すなわち、指向性を有する導光パネル（導光部材）５４２を用いて、照明装置本体５００を形成してもよい。
【０１１２】
こうすれば、反射板を用いた照明装置本体と較べて、照明装置本体５００の厚さを極力薄くすることができる。したがって、例えば、病室（屋内空間）１０に設置したメディカルコンソール４０の側壁面２２ａからの突出量を小さくしたとしても、露出面側から奥側までの厚さが３５ｍｍ以上となる空間部４１０ａを確保することが可能となる。すなわち、指向性を有する導光パネル（導光部材）５４２を用いて照明装置本体５００を形成すれば、メディカルコンソール４０の側壁面２２ａからの突出量を極力小さくしつつ、比較的径の太い医療用ガス供給管４２３ａを収容可能な空間部４１０ａを確保できる。
【０１１３】
また、光源５００ａを、導光パネル５４２の厚さ方向に延在する端面（下端面５４２ｃ）と対向する位置に配置させてもよい。
【０１１４】
こうすれば、照明装置本体５００の厚さをより一層薄くすることができる。
【０１１５】
以上、本開示の好適な実施形態について例示して説明したが、上記実施形態には限定されず、種々の変形が可能である。
【０１１６】
例えば、上記実施形態では、側壁部に固定される側壁部材としてのメディカルコンソールに照明装置本体を埋め込み固定したものを例示したが、様々な側壁部材に照明装置本体を埋め込み固定させることができる。例えば、天井に固定されて下方に延在する側壁部材や床に固定されて上方に延在する側壁部材に照明装置本体を埋め込み固定させることが可能である。
【０１１７】
また、第１照明装置本体および第２照明装置本体を側壁部材に埋め込み固定させる必要はなく、いずれか一方の照明装置本体のみ埋め込み固定させることもできる。
【０１１８】
また、廊下の側壁部に照明装置本体を埋め込み固定させたものを例示したが、これに限られるものではない。例えば、ホテル内の客室やオフィスビル内のオフィス等の内部空間に存在する被固定部（屋内空間を画成する側壁部や側壁部材など）に照明装置本体を埋め込み固定させることも可能である。このとき、第１照明装置本体および第２照明装置本体を埋め込み固定させることも可能であるし、いずれか一方の照明装置本体のみ埋め込み固定させることもできる。
【０１１９】
また、建物の階段（屋内空間）の側壁部等に上記実施形態で示した照明装置を設置することも可能である。このとき、第１照明装置本体および第２照明装置本体を埋め込み固定させ、第１照明装置本体によって階段の天井を、第２照明装置本体によって階段の手すりや段差面を照らすようにしてもよい。
【０１２０】
また、照明装置本体や電源装置の構成は、上記実施形態で示した構成に限られるものではなく、従来公知の様々な構成を採用することが可能である。
【０１２１】
また、メディカルコンソールの構成や形状も、上記実施形態で示した構成に限られるものではなく、従来公知の様々な構成や形状とすることが可能である。
【０１２２】
また、光源や出射面、その他細部のスペック（形状、大きさ、レイアウト等）も適宜に変更可能である。
【符号の説明】
【０１２３】
１０  病室（屋内空間）
１０Ａ  廊下（屋内空間）
２０  壁部
２１  天井
２２  側壁部（被固定部）
２２ａ  側壁面（露出面）
２３  床
４０  メディカルコンソール（側壁部材：被固定部）
４１ｂ  前面（外表面：露出面）
４１０ａ  空間部
５０  照明装置
５００  照明装置本体
５００ａ  光源
５００ｂ  出射面
５１０  第１照明装置本体
５２０  第２照明装置本体
Ｄ１  主光軸方向
Ｄ２  法線方向
Ｌ１  光
Ｌ２  出射光
【図１】
2018129233.tif 000003
【図２】
2018129233.tif 000004
【図３】
2018129233.tif 000005
【図４】
2018129233.tif 000006
【図５】
2018129233.tif 000007
【図６】
2018129233.tif 000008
【図７】
2018129233.tif 000009
【図８】
2018129233.tif 000010
【図９】
2018129233.tif 000011
【図１０】
2018129233.tif 000012
【図１１】
2018129233.tif 000013